(57)【要約】【課題】ガラス枠に対するガラスユニットの取付，取外しが容易であるガラスユニットの取付構造を提供すること。【解決手段】ガラスユニット３は，ガラス板３５，外縁部３０及び回動ヒンジ部３１を有しており，ガラス枠２は，開口穴２５及び回動支持部２１を有している。ガラスユニット３にはユニット側対面部３３が，ガラス枠２にはユニット側対面部３３の下面に対面する枠側対面部２３が設けてある。枠側対面部２３にはスペーサ部２３１が，ユニット側対面部３３にはスペーサ当接面３３１とスペーサ収納部３３２とが設けてある。ガラスユニット３は，スペーサ部２３１をスペーサ当接面３３１に当接させて浮上した状態で，回動ヒンジ部３１と回動支持部２１との係合により回動可能であり，スペーサ部２３１をスペーサ収納部３３２に収納してガラス枠２に対して下降するよう構成してある。【選択図】  図１
2004222865.tif 000002
【特許請求の範囲】
【請求項１】
ガラス枠にガラスユニットを着脱可能に取り付けてなるガラスユニットの取付構造において，
上記ガラスユニットは，ガラス板と，該ガラス板の外縁を囲うよう配設された外縁部とを有しており，該外縁部の一側方部には，上記ガラス枠に対して上記ガラスユニットを回動可能に取り付けるための回動ヒンジ部を有しており，
上記ガラス枠は，上記ガラスユニットにより後方側から覆われる開口穴と，上記回動ヒンジ部と係合して，これを回動可能に支持する回動支持部とを有しており，
上記ガラスユニット及び上記ガラス枠には，それぞれ互いに上下方向に対面するユニット側対面部及び枠側対面部が形成されていると共に，上記ユニット側対面部の下面に対面するよう上記枠側対面部が形成されており，
上記ユニット側対面部又は上記枠側対面部の一方には，他方に向けて突出したスペーサ部が形成されており，他方には，上記スペーサ部と当接するスペーサ当接面と，上記スペーサ部を収納可能なスペーサ収納部とが形成されており，
上記ガラスユニットは，上記スペーサ部を上記スペーサ当接面に当接させて上記ガラス枠に対して浮上した状態で，上記回動ヒンジ部と上記回動支持部との係合により回動可能であり，上記スペーサ部が上記スペーサ収納部に対向した際には，該スペーサ収納部に上記スペーサ部を収納して上記ガラス枠に対して下降するよう構成してあることを特徴とするガラスユニットの取付構造。
【請求項２】
請求項１において，上記スペーサ部及び上記スペーサ収納部は，それぞれ上記ユニット側対面部及び上記枠側対面部に複数形成されていることを特徴とするガラスユニットの取付構造。
【請求項３】
請求項１又は２において，上記ガラスユニット及び上記ガラス枠は，上記スペーサ部が上記スペーサ収納部に収納された状態において，互いに係合するロック部を有していることを特徴とするガラスユニットの取付構造。
【請求項４】
請求項３において，上記ロック部は，上記ガラスユニットにおける上記外縁部の一側方部とは反対側の他側方部に設けられたユニット側ロック部と，該ユニット側ロック部に係合するように上記ガラス枠に設けられた枠側ロック部とからなることを特徴とするガラスユニットの取付構造。
【請求項５】
請求項４において，上記回動支持部及び上記枠側ロック部は，上記ガラス枠における両側方部にそれぞれ設けた補強用板金にそれぞれ配設されていることを特徴とするガラスユニットの取付構造。
【請求項６】
請求項１〜５のいずれか一項において，上記ユニット側対面部は，上記ガラスユニットにおける上記外縁部の下方部に形成されており，上記枠側対面部は，上記下方部に形成されたユニット側対面部に対面するよう形成されていることを特徴とするガラスユニットの取付構造。
【請求項７】
請求項１〜６のいずれか一項において，上記スペーサ部と上記スペーサ収納部との少なくとも１つは，上記回動ヒンジ部と上記回動支持部とによる回動中心軸の近傍に設けてあることを特徴とするガラスユニットの取付構造。
【請求項８】
請求項１〜７のいずれか一項において，上記ガラスユニット又は上記ガラス枠は，上記スペーサ部が上記スペーサ収納部に収納された状態において，上記ガラスユニットが上方にずれることを防止するための上下固定具を有していることを特徴とするガラスユニットの取付構造。
【請求項９】
請求項１〜８のいずれか一項において，上記ガラスユニットは，該ガラスユニットを操作することができる取手部を有していることを特徴とするガラスユニットの取付構造。
【請求項１０】
請求項１〜９のいずれか一項において，上記ガラス枠は，上記スペーサ部が上記スペーサ収納部に収納された状態において，上記ガラスユニットの荷重を受けるための荷重受け部を有していることを特徴とするガラスユニットの取付構造。
【発明の詳細な説明】
【０００１】
【技術分野】
本発明は，ガラス枠にガラスユニットを着脱可能に取り付けてなるガラスユニットの取付構造に関する。
【０００２】
【従来技術】
例えば，パチンコ遊技機は，遊技領域を有する遊技盤を取り付けた前枠と，この前枠に対して開閉自在に配設されたガラス扉とを有している。
そして，ガラス扉は，これに直接ガラスを設けるのではなく，これに対して着脱可能なガラスユニットにガラスを設け，このガラスユニットをガラス扉の枠部であるガラス枠に取り付けることにより構成されている。このような，パチンコ遊技機のガラス扉としては，例えば，特許文献１に示すものがある。
そして，ガラスユニットのガラス枠への取付は，ガラスユニットに設けたピン穴をガラス枠に設けたピンに挿入し，ピン及びピン穴の部分を止め金具等に係合して固定することにより行っている。
【０００３】
【特許文献１】
特開平７−２１３６９１号公報（第１５図等）
【０００４】
【解決しようとする課題】
しかしながら，上記ピン及びピン穴は，複数箇所（通常４箇所が多い）に形成されており，各ピンを各ピン穴にそれぞれ同時に挿入することは必ずしも容易ではない。また，各ピンを各ピン穴に挿入して位置決めを行った後にこれらの各部分を止め金具等に係合して固定する際には，複数の箇所の係合を行う必要がある。
そのため，従来のガラス扉においては，ガラスユニットをガラス枠に対して取り付ける取付作業に時間がかかり，またガラスユニットをガラス枠から取り外す取外作業にも時間がかかる。
【０００５】
本発明は，かかる従来の問題点に鑑みてなされたもので，ガラス枠に対するガラスユニットの取付，取外しが容易であるガラスユニットの取付構造を提供しようとするものである。
【０００６】
【課題の解決手段】
本発明は，ガラス枠にガラスユニットを着脱可能に取り付けてなるガラスユニットの取付構造において，
上記ガラスユニットは，ガラス板と，該ガラス板の外縁を囲うよう配設された外縁部とを有しており，該外縁部の一側方部には，上記ガラス枠に対して上記ガラスユニットを回動可能に取り付けるための回動ヒンジ部を有しており，
上記ガラス枠は，上記ガラスユニットにより後方側から覆われる開口穴と，上記回動ヒンジ部と係合して，これを回動可能に支持する回動支持部とを有しており，
上記ガラスユニット及び上記ガラス枠には，それぞれ互いに上下方向に対面するユニット側対面部及び枠側対面部が形成されていると共に，上記ユニット側対面部の下面に対面するよう上記枠側対面部が形成されており，
上記ユニット側対面部又は上記枠側対面部の一方には，他方に向けて突出したスペーサ部が形成されており，他方には，上記スペーサ部と当接するスペーサ当接面と，上記スペーサ部を収納可能なスペーサ収納部とが形成されており，
上記ガラスユニットは，上記スペーサ部を上記スペーサ当接面に当接させて上記ガラス枠に対して浮上した状態で，上記回動ヒンジ部と上記回動支持部との係合により回動可能であり，上記スペーサ部が上記スペーサ収納部に対向した際には，該スペーサ収納部に上記スペーサ部を収納して上記ガラス枠に対して下降するよう構成してあることを特徴とするガラスユニットの取付構造にある（請求項１）。
【０００７】
本発明の取付構造においては，上記ガラス板及び外縁部を設けて構成されるガラスユニットは，外縁部の一側方部に上記回動ヒンジ部を有しており，上記開口穴を設けて構成されるガラス枠は，上記回動支持部を有している。そして，回動ヒンジ部と回動支持部とにより，ガラスユニットとガラス枠との連結後には，ガラスユニットをガラス枠に対して回動自在にすることができる。
【０００８】
また，上記ガラスユニットに設けたユニット側対面部と上記ガラス枠に設けた枠側対面部には，一方に上記スペーサ部が設けてあり，他方に上記スペーサ当接面及びスペーサ収納部が設けてある。
そして，本発明においては，上記スペーサ部が上記スペーサ当接面に当接することにより，ガラスユニットをガラス枠より浮上させた状態で回動可能にし，この回動を行った後で上記スペーサ部が上記スペーサ収納部に収納されて，ガラスユニットがガラス枠に対して下降する。
【０００９】
すなわち，上記ガラスユニットを上記ガラス枠に取り付ける際には，ガラスユニットの回動ヒンジ部をガラス枠の回動支持部に係合させて，ガラスユニットとガラス枠とを連結する。そして，ガラスユニット又はガラス枠の一方に形成したスペーサ部を，他方に形成したスペーサ当接面に当接させて，ガラスユニットがガラス枠より浮上した状態を形成する。そして，この浮上状態においては，スペーサ部がスペーサ当接面の表面上を滑り，ガラスユニットはガラス枠に対して上記回動ヒンジ部及び回動支持部を回動中心にして回動することができる。
【００１０】
そして，上記ガラスユニットを，上記ガラス枠に完全に又はほぼ重なる重なり位置まで回動させたときには，上記スペーサ部と上記スペーサ当接面との当接状態が外れて，ガラスユニットがガラス枠に対して下降すると共にスペーサ部が上記スペーサ収納部に収納される。すなわち，本発明の取付構造において上記ガラスユニットの取付を行う際には，上記回動ヒンジ部と回動支持部とを係合させ，その後は，ガラスユニットを上記重なり位置まで回動させるだけで，上記スペーサ部がスペーサ収納部に収納された，ガラスユニットの少なくとも概略の位置決めを行うことができる。
また，上記スペーサ部を上記スペーサ収納部に収納させた後には，ガラスユニットは，止め金具等で固定することなくガラス枠に取り付けることができる。
【００１１】
また，一方で，上記ガラスユニットを上記ガラス枠より取り外す際には，ガラスユニットを持ち上げて，上記スペーサ部を上記スペーサ収納部から抜き出す。そして，上記回動ヒンジ部及び回動支持部を回動中心にしてガラスユニットを回動させる際には，上記スペーサ部が上記スペーサ当接面に当接し，ガラスユニットは上記浮上状態で回動される。そして，その後，回動ヒンジ部を回動支持部より取り外して，ガラスユニットをガラス枠から取り外すことができる。そのため，本発明の取付構造においては，上記ガラスユニットをガラス枠より取り外すことも容易である。
このように，本発明の取付構造においては，上記ガラスユニットは上記ガラス枠に対して取付，取外しが容易であり，短時間でガラスユニットの取付，取外しを行うことができる。
【００１２】
【発明の実施の形態】
上述した本発明における好ましい実施の形態につき説明する。
本発明において，上記スペーサ部の上記スペーサ収納部への収納とは，スペーサ部とスペーサ収納部との間に隙間をほとんど形成しない状態で係合又は嵌合する場合だけでなく，多少の上記隙間を形成した状態で係合又は嵌合する場合等をも含む。
また，上記ガラス枠に対する上記ガラスユニットの位置決めとは，上記重なり位置にほぼ完全に静止される状態での位置決めだけでなく，上記重なり位置に対して多少のぐらつきを有した状態での位置決め等をも含む。
【００１３】
本発明においては，上記スペーサ部及び上記スペーサ収納部は，それぞれ上記ユニット側対面部及び上記枠側対面部に複数形成されていることが好ましい（請求項２）。
この場合には，上記ガラスユニットは，複数のスペーサ部と上記スペーサ当接面とによって浮上が可能であり，複数のスペーサ部が複数のスペーサ収納部に収納されて，上記位置決めを行うことができる。そのため，ガラスユニットの浮上が容易であると共に，ガラスユニットの位置決めを安定して行うことができる。
【００１４】
また，上記ガラスユニット及び上記ガラス枠は，上記スペーサ部が上記スペーサ収納部に収納された状態において，互いに係合するロック部を有していることが好ましい（請求項３）。
この場合には，上記ガラスユニット及びガラス枠に設けたロック部によって，上記ガラスユニットの位置決めを一層安定させることができる。
【００１５】
また，上記ロック部は，上記ガラスユニットにおける上記外縁部の一側方部とは反対側の他側方部に設けられたユニット側ロック部と，該ユニット側ロック部に係合するように上記ガラス枠に設けられた枠側ロック部とからなることが好ましい（請求項４）。
この場合には，上記ガラスユニットの位置決めを行った際には，上記外縁部の一側方部における回動ヒンジ部と上記回動支持部との係合と，上記外縁部の他側方部におけるユニット側ロック部と上記枠側ロック部との係合を行うことができる。そのため，ガラスユニットは，左右両側において各部が係合し，このガラスユニットの位置決めを一層安定させることができる。
【００１６】
また，上記回動支持部及び上記枠側ロック部は，上記ガラス枠における両側方部にそれぞれ設けた補強用板金にそれぞれ配設されていることが好ましい（請求項５）。
この場合には，上記ガラスユニットを上記ガラス枠に取り付けた際に，上記両側方部の補強用板金とガラスユニットとが強固に係合し，上記ガラスユニットの取付構造の強度を向上させることができる。
【００１７】
また，上記ユニット側対面部は，上記ガラスユニットにおける上記外縁部の下方部に形成されており，上記枠側対面部は，上記下方部に形成されたユニット側対面部に対面するよう形成されていることが好ましい（請求項６）。
この場合には，上記ガラスユニット及び上記ガラス枠において，上記ユニット側対面部及び上記枠側対面部を設けることが容易である。
【００１８】
また，上記スペーサ部と上記スペーサ収納部との少なくとも１つは，上記回動ヒンジ部と上記回動支持部とによる回動中心軸の近傍に設けてあることが好ましい（請求項７）。
この場合には，上記ガラス枠に対するガラスユニットの広い回動範囲内において，上記スペーサ部と上記スペーサ当接面との当接状態を形成することができる。
【００１９】
また，上記ガラスユニット又は上記ガラス枠は，上記スペーサ部が上記スペーサ収納部に収納された状態において，上記ガラスユニットが上方にずれることを防止するための上下固定具を有していることが好ましい（請求項８）。
この場合には，上記上下固定具によって，上記ガラス枠に対して上記ガラスユニットを上下方向に固定することができる。そのため，ガラスユニットをガラス枠に取り付けた取付構造を安定して維持することができる。
【００２０】
また，上記ガラスユニットは，該ガラスユニットを操作することができる取手部を有していることが好ましい（請求項９）。
この場合には，上記ガラスユニットは，上記取手部を持って操作することによって，上記ガラス枠に対して回動させることが容易である。また，ガラスユニットは，取手部を操作することによって，上記位置決めがなされた状態から浮上させることが容易になる。そのため，ガラスユニットの取付，取外し作業を一層容易に行うことができる。
【００２１】
また，上記ガラス枠は，上記スペーサ部が上記スペーサ収納部に収納された状態において，上記ガラスユニットの荷重を受けるための荷重受け部を有していることが好ましい（請求項１０）。
この場合には，上記荷重受け部によって，上記ガラスユニットの荷重を受けて，ガラス枠に対するガラスユニットの位置決め状態を安定させることができる。
【００２２】
【実施例】
以下に，図面を用いて本発明のガラスユニットの取付構造にかかる実施例につき説明する。
（実施例１）
本例のガラスユニット３の取付構造１（以下にガラスユニット取付構造１という）は，図１〜図１０に示すごとく，ガラス枠２にガラスユニット３を着脱可能に取り付けてなる。
図６に示すごとく，上記ガラスユニット３は，ガラス板３５と，このガラス板３５の外縁を囲うよう配設された外縁部３０とを有している。そして，外縁部３０の一側方部３０１には，上記ガラス枠２に対して上記ガラスユニット３を回動可能に取り付けるための回動ヒンジ部３１が形成されている。
【００２３】
図７に示すごとく，上記ガラス枠２は，上記ガラスユニット３により後方側２０５から覆われる開口穴２５と，上記回動ヒンジ部３１と係合して，これを回動可能に支持する回動支持部２１とを有している。
また，図１，図２に示すごとく，上記ガラスユニット３及び上記ガラス枠２には，それぞれ互いに上下方向に対面するユニット側対面部３３及び枠側対面部２３が形成されている。また，上記枠側対面部２３は，上記ユニット側対面部３３の下面に対面するよう形成されている。
【００２４】
上記ユニット側対面部３３又は上記枠側対面部２３の一方には，他方に向けて突出したスペーサ部２３１が形成されている。また，他方には，上記スペーサ部２３１と当接するスペーサ当接面３３１と，上記スペーサ部２３１を収納可能なスペーサ収納部３３２とが形成されている。
【００２５】
そして，図８，図１０に示すごとく，上記ガラスユニット３は，上記スペーサ部２３１を上記スペーサ当接面３３１に当接させて上記ガラス枠２に対して浮上した状態（浮き上がらせた状態）で，上記回動ヒンジ部３１と上記回動支持部２１との係合により回動可能である。そして，図１，図５に示すごとく，上記ガラスユニット取付構造１は，上記スペーサ部２３１を上記スペーサ収納部３３２に収納することにより，上記ガラスユニット３が上記ガラス枠２に対して下降し，ガラス枠２に対するガラスユニット３の位置決めがなされるよう構成してある。
【００２６】
以下に，これを詳説する。
以下に，上記ガラスユニット３を上記ガラス枠２に取り付けたものをガラス扉１という。すなわち，図１〜図５に示すごとく，本例のガラスユニット取付構造１は，ガラス扉１を構成する。
そして，本例においては，このガラス扉１をパチンコ遊技機１０に用いる。本例のガラス扉１は，図２〜図４に示すごとく，パチンコ遊技機１０の枠体５の前方側に，この枠体５に対してヒンジ部２６（図１参照）により開閉可能に取り付けるものである。
【００２７】
また，図２，図４に示すごとく，上記枠体５には，パチンコ遊技の遊技領域を有する遊技盤５１が配設されており，上記ガラス扉１を上記枠体５に取り付けたときには，上記ガラスユニット３のガラス板３５は，上記遊技盤５１に対向する。
また，本例において，後方側２０５とは，パチンコ遊技機１０において遊技者に対向しない側，すなわち外部に露出しない側で，上記枠体５に対向する側をいう。また，前方側とは，上記後方側２０５とは反対側をいい，パチンコ遊技機１０において遊技者に対向する側をいう。
【００２８】
また，図２，図４に示すごとく，本例のガラスユニット３は，複層ガラスユニット３であり，上記ガラス板３５は，２枚のガラス３５１を対向配設した２重ガラス構造を有している。そして，上記外縁部３０は，２枚のガラス３５１を対向させて固定するための一対の外周凹部３０６と，上記ガラス板３５の外周側に位置する外周部３０５とを有している。
なお，上記ガラス板３５は，１枚のガラス３５１により構成してもよく，３枚のガラス３５１により構成してもよい。
【００２９】
図６に示すごとく，上記回動ヒンジ部３１には，ユニット側第１対面部３１１が形成されており，図７に示すごとく，上記回動支持部２１には，上記ユニット側第１対面部３１１の下面に対面する枠側第１対面部２１１が形成されている。
そして，本例では，図６に示すごとく，ユニット側第１対面部３１１の下面に，下方に向けて突出する第１突出ピン３１２を形成し，図７に示すごとく，枠側第１対面部２１１に第１突出ピン３１２を挿入配置するための第１ピン穴２１２を形成している。
なお，枠側第１対面部２１１の上面に，上方に向けて突出する第１突出ピン３１２を形成し，ユニット側第１対面部３１１に上記第１突出ピン３１２を挿入配置するための第１ピン穴２１２を形成しても勿論よい。
【００３０】
また，図６に示すごとく，上記回動ヒンジ部３１は，上記ガラスユニット３における外縁部３０の一側方部３０１の複数箇所に形成されており，図７に示すごとく，上記回動支持部２１は，上記複数の回動ヒンジ部３１に係合するよう上記ガラス枠２の一側方部２０１における複数箇所に形成されている。本例では，回動ヒンジ部３１及び回動支持部２１は２箇所に形成されている。
【００３１】
図１に示すごとく，本例のユニット側対面部３３は，上記ガラスユニット３における外縁部３０の下方部３０３に形成されており，上記枠側対面部２３は，上記下方部３０３に形成されたユニット側対面部３３に対面するよう形成されている。そして，本例では，枠側対面部２３の上面に，ユニット側対面部３３に向けて突出した上記スペーサ部２３１が形成されている。また，ユニット側対面部３３の下面に，スペーサ部２３１と当接するスペーサ当接面３３１が形成されている。また，ユニット側対面部３３には，スペーサ部２３１を収納可能なスペーサ収納部３３２が形成されている。
なお，ユニット側対面部３３にスペーサ部２３１を形成し，枠側対面部２３にスペーサ当接面３３１及びスペーサ収納部３３２を形成しても勿論よい。
【００３２】
図１に示すごとく，上記スペーサ部２３１及びスペーサ収納部３３２は，それぞれガラスユニット３のユニット側対面部３３における複数箇所（本例では５箇所）及びガラス枠２の枠側対面部２３における複数箇所（本例では５箇所）に形成されている。本例では，ガラスユニット３における外縁部３０の下方部３０３及びガラス枠２の下方部２０３（図７参照）において，複数のスペーサ部２３１及びスペーサ収納部３３２が，回動ヒンジ部３１と回動支持部２１とによる回動中心軸Ｘの近傍から間隔をあけて配置されている。そして，１つのスペーサ部２３１Ａ及びスペーサ収納部３３２Ａが，上記回動中心軸Ｘの近傍に位置している。
また，本例のスペーサ当接面３３１は，上記ガラスユニット３における外縁部３０の下方部３０３（上記ユニット側対面部３３）の下面である。
【００３３】
図１に示すごとく，上記ガラスユニット３及び上記ガラス枠２は，ガラスユニット３の位置決めがなされた状態において，互いに係合するロック部２２，３２を有している。このロック部２２，３２は，ガラスユニット３における上記外縁部３０の一側方部３０１とは反対側の他側方部３０２に設けられたユニット側ロック部３２と，このユニット側ロック部３２に係合するように上記ガラス枠２に設けられた枠側ロック部２２とからなる。
【００３４】
図６に示すごとく，上記ユニット側ロック部３２には，ユニット側第２対面部３２１が形成されており，図７に示すごとく，上記枠側ロック部２２には，上記ユニット側第２対面部３２１の下面に対面する枠側第２対面部２２１が形成されている。
そして，本例では，図６に示すごとく，ユニット側第２対面部３２１の下面に，下方に向けて突出する第２突出ピン３２２を形成し，図７に示すごとく，枠側第２対面部２２１に第２突出ピン３２２を挿入配置するための第２ピン穴２２２を形成している。
なお，枠側第２対面部２２１の上面に，上方に向けて突出する第２突出ピン３２２を形成し，ユニット側第２対面部３２１に上記第２突出ピン３２２を挿入配置するための第２ピン穴２２２を形成しても勿論よい。
【００３５】
また，図６に示すごとく，上記ユニット側ロック部３２は，ガラスユニット３における外縁部３０の他側方部３０２における複数箇所に形成されており，図７に示すごとく，上記枠側ロック部２２は，ガラス枠２の他側方部２０２における複数箇所に形成されている。本例では，ユニット側ロック部３２及び枠側ロック部２２は２箇所に形成されている。
なお，上記ロック部２２，３２は，上記外縁部３０の他側方部３０２に設ける以外に，上記外縁部３０の下方部３０３又は上方部３０４に設けてもよい。
【００３６】
図１，図２に示すごとく，上記ガラス枠２は，その上方部２０４において，上記位置決めがなされたガラスユニット３が上方にずれることを防止するための上下固定具４を有している。この上下固定具４は，ガラス枠２の後方側２０５に設けた回動軸部４１と，この回動軸部４１にガラス枠２の面方向に向けて突出形成したカム部４２とにより形成されている。カム部４２の先端には，ガラスユニット３における外縁部３０の上方部３０４に当接させるための円弧状のカム当接面４２１が形成されている。
また，図７に示すごとく，上記上下固定具４はガラス枠２の複数箇所（本例では２箇所）に形成されている。
【００３７】
また，図７に示すごとく，上記ガラス枠２は，上記位置決めがなされたガラスユニット３の荷重を受けるための荷重受け部２３を有している。本例の荷重受け部２３は，ガラス枠２の下方部２０３に形成された上記枠側対面部２３である。そして，図１，図２に示すごとく，荷重受け部２３は，上記スペーサ当接面３３１（ガラスユニット３における外縁部３０の下方部３０３の下面）と対面してガラスユニット３の荷重を受けることができる。
また，図１，図３に示すごとく，ガラス枠２には，これに重なるよう配置されたガラスユニット３における外縁部３０の上方部３０４に対向し，このガラスユニット３が所定の高さ以上浮上しないよう規制する上下規制ガイド部２４が形成されている。
【００３８】
また，図１，図６に示すごとく，本例のガラスユニット３は，このガラスユニット３を操作することができる取手部３６を有している。具体的には，この取手部３６は，上記外縁部３０の上方部３０４に設けてある。そして，ガラスユニット３は，上記取手部３６を持って操作することによって，ガラス枠２に対して回動させることが容易である。また，ガラスユニット３は，取手部３６を操作することによって，上記取付位置１０１から上記浮上位置１０２へと浮上させることが容易である。
【００３９】
上記のごとく構成されたガラスユニット３及びガラス枠２は，以下の取付位置１０１と浮上位置１０２との間で上下方向にスライド可能であり，浮上位置１０２と回動位置１０３との間で回動可能であり，また，回動位置１０３においては着脱可能である。
すなわち，図１に示すごとく，上記取付位置１０１においては，上記回動ヒンジ部３１と上記回動支持部２１とが係合すると共に，上記スペーサ部２３１が上記スペーサ収納部３３２に収納されて，ガラスユニット３はガラス枠２に対して位置決めがなされる。また，この取付位置１０１においては，上記ユニット側ロック部３２と上記枠側ロック部２２とが係合する。
【００４０】
そして，図１に示すごとく，上記取付位置１０１においては，上記上下固定具４をロック位置４０１（図１，図２参照）に回動させて，上記カム部４２のカム当接面４２１で上記ガラスユニット３における外縁部３０の上方部３０４を下方に押圧することにより，ガラスユニット３をガラス枠２に固定することができる。
図１〜図４に示すごとく，この取付位置１０１においては，上記回動ヒンジ部３１と回動支持部２１との係合，上記スペーサ部２３１のスペーサ収納部３３２への収納，及び上記ユニット側ロック部３２と枠側ロック部２２との係合により，ガラス枠２に対するガラスユニット３の前後左右方向の位置が固定される。また，取付位置１０１においては，上記上下固定具４によってガラス枠２に対するガラスユニット３の上下方向の位置が固定される。こうして，ガラスユニット取付構造１を安定して維持することができる。
【００４１】
また，図８に示すごとく，上記上下固定具４を待避位置４０２に回動させて，上記ガラスユニット３を上記取付位置１０１から上方に持ち上げたとき，すなわちガラスユニット３をガラス枠２に対して上方にスライドさせたときには，上記回動ヒンジ部３１が回動支持部２１に対してスライドし，上記スペーサ部２３１がスペーサ収納部３３２から抜き出される。そして，回動ヒンジ部３１と回動支持部２１とが回動可能に係合されていると共に，スペーサ部２３１のスペーサ収納部３３２への収納が外れた上記浮上位置１０２へとガラスユニット３を移動させることができる。
また，この浮上位置１０２においては，上記ユニット側ロック部３２と枠側ロック部２２との係合も外れる。
【００４２】
図１に示すごとく，上記ガラスユニット３の浮上状態を形成するために，回動ヒンジ部３１における第１突出ピン３１２のユニット側第１対面部３１１からの突出量は，スペーサ部２３１の枠側対面部２３からの突出量及びユニット側ロック部３２のユニット側第２対面部３２１からの第２突出ピン３２２の突出量よりも大きくなっている。
【００４３】
また，図８に示すごとく，上記浮上位置１０２において，上記スペーサ部２３１がスペーサ収納部３３２から抜き出された状態よりもさらに上方にガラスユニット３を持ち上げようとすると，ガラスユニット３における外縁部３０の上方部３０４が上記上下規制ガイド部２４に当接する。そのため，この浮上位置１０２においては，ガラスユニット３がガラス枠２から外れてしまうことが防止される。
なお，本例では，上記取付位置１０１と浮上位置１０２とが，上記ガラスユニット３が上記ガラス枠２に対して重なる重なり位置となる。
【００４４】
図９，図１０に示すごとく，上記浮上位置１０２にあるガラスユニット３は，上記スペーサ部２３１を上記スペーサ当接面３３１に当接させて，上記回動ヒンジ部３１と回動支持部２１とを回動中心にして回動が可能になる。そして，この回動を行って，上記回動位置１０３にガラスユニット３を回動させることができる。
【００４５】
また，図１０に示すごとく，この回動位置１０３においては，上記スペーサ部２３１が上記スペーサ当接面３３１に当接していることにより，ガラスユニット３はガラス枠２に対してスペーサ部２３１の突出量の分だけ浮上した状態で回動が可能である。
また，上記回動位置１０３において，上記ガラスユニット３を所定の角度まで回動させたときには，上記上下規制ガイド部２４によるガラスユニット３の上方移動の規制が外れる。そして，回動位置１０３においては，ガラスユニット３がガラス枠２に対して着脱可能になる。
【００４６】
上記のごとく，本例のガラスユニット取付構造１においては，上記ガラス板３５及び外縁部３０を設けて構成されるガラスユニット３は，外縁部３０の一側方部３０１に上記回動ヒンジ部３１を有しており，上記開口穴２５を設けて構成されるガラス枠２は，上記回動支持部２１を有している。そして，回動ヒンジ部３１と回動支持部２１とにより，ガラスユニット３とガラス枠２との連結後には，ガラスユニット３をガラス枠２に対して回動自在にすることができる。
【００４７】
また，上記ガラス枠２に設けた枠側対面部２３には，上記スペーサ部２３１が設けてあり，上記ガラスユニット３に設けたユニット側対面部３３には，上記スペーサ当接面３３１及びスペーサ収納部３３２が設けてある。
そして，本例においては，スペーサ部２３１がスペーサ当接面３３１に当接することにより，ガラスユニット３をガラス枠２より浮上させた状態で回動可能にし，その後，上記重なり位置まで回動するとスペーサ部２３１がスペーサ収納部３３２に収納されて，ガラスユニット３のガラス枠２に対する位置決めがされる。
【００４８】
上記ガラスユニット３をガラス枠２に取り付ける際には，上記回動位置１０３において，ガラスユニット３の回動ヒンジ部３１をガラス枠２の回動支持部２１に係合させて，ガラスユニット３とガラス枠２とを連結する。この回動位置１０３においては，上記ガラス枠２における上記回動中心軸Ｘの近傍に位置するスペーサ部２３１Ａと，上記ガラスユニット３のユニット側対面部３３におけるスペーサ当接面３３１Ａとが当接し，ガラスユニット３がガラス枠２に対して浮上した浮上状態を形成することができる。
また，上記回動位置１０３において，ガラスユニット３を上記ガラス枠２に向けて回動させると，ガラスユニット３における外縁部３０の上方部３０４に上記上下規制ガイド部２４が対向する。
【００４９】
図９，図１０に示すごとく，上記回動位置１０３においては，スペーサ部２３１がスペーサ当接面３３１の表面上を滑り，ガラスユニット３はガラス枠２に対して上記回動ヒンジ部３１及び回動支持部２１を回動中心にして回動することができる。
また，図１０に示すごとく，上記回動中心軸Ｘの近傍にスペーサ部２３１Ａ及びスペーサ収納部３３２Ａを形成したことにより，上記回動位置１０３の広い回動範囲において，スペーサ部２３１Ａとスペーサ当接面３３１Ａとの当接状態を形成することができる。
【００５０】
そして，図１０に示すごとく，上記回動位置１０３において，ガラスユニット３を，ガラス枠２に向けて回動させると，上記複数のスペーサ部２３１は，上記回動中心軸Ｘに近い側のスペーサ部２３１から順次上記スペーサ当接面３３１に当接していく。
そして，図５に示すごとく，ガラスユニット３を，ガラス枠２に重なる重なり位置，すなわち上記浮上位置１０２まで回動させたときには，図８に示すごとく，上記スペーサ部２３１と上記スペーサ当接面３３１との当接状態が外れる。
【００５１】
このとき，上記スペーサ部２３１が上記スペーサ収納部３３２に対向し，図１に示すごとく，ガラスユニット３は，ガラス枠２に対して下降して，スペーサ部２３１がスペーサ収納部３３２に収納される。また，このとき，上記ユニット側ロック部３２が上記枠側ロック部２２に係合される。こうして，ガラスユニット３が上記取付位置１０１に移動する。そして，この取付位置１０１にあるガラスユニット３は，上記ガラス枠２の荷重受け部２３としての上記枠側対面部２３によって荷重が受けられる。
【００５２】
このように，本例のガラスユニット取付構造１においては，上記回動ヒンジ部３１と回動支持部２１とを係合させ，その後は，ガラスユニット３を上記重なり位置まで回動させるだけで，上記スペーサ部２３１がスペーサ収納部３３２に収納された，ガラスユニット３の位置決めを行うことができる。そのため，本例のガラスユニット取付構造１によれば，ガラス枠２に対するガラスユニット３の位置決めを容易に行うことができる。
【００５３】
また，上記位置決めを行った後には，上記上下固定具４を上記待避位置４０２から上記ロック位置４０１まで回動させる。そして，上下固定具４におけるカム部４２のカム当接面４２１が，ガラスユニット３における外縁部３０の上方部３０４を下方に押圧することにより，ガラスユニット３は，ビス等で固定することなくガラス枠２に固定することができる。
また，ガラスユニット３は，上記取付位置１０１においては，上記一側方部３０１における複数の回動ヒンジ部３１と回動支持部２１との係合，上記他側方部３０２における複数のユニット側ロック部３２と上記枠側ロック部２２との係合，及び上記下方部３０３における複数のスペーサ部２３１のスペーサ収納部３３２への収納が行われる。
【００５４】
そのため，上記取付位置１０１におけるガラスユニット３は，左右両側及び下方において各部が係合し，下方に向けて押圧されている。そのため，この取付位置１０１におけるガラスユニット３は，前後，左右及び上下の位置が固定され，ガラス枠２に安定して取り付けられることができる。
【００５５】
上記ガラスユニット３をガラス枠２より取り外す際には，上記上下固定具４を上記ロック位置４０１から上記待避位置４０２まで回動させて，ガラスユニット３の上下方向における固定を解除する。そして，ガラスユニット３を上方に持ち上げて上記浮上位置１０２まで移動させ，上記スペーサ部２３１を上記スペーサ収納部３３２から抜き出すと共に，上記ユニット側ロック部３２を上記枠側ロック部２２から抜き出す。
【００５６】
次いで，図９，図１０に示すごとく，上記回動ヒンジ部３１及び回動支持部２１を回動中心にして，ガラスユニット３を上記回動位置１０３へと回動させると，上記スペーサ部２３１が上記スペーサ当接面３３１に当接し，ガラスユニット３は上記浮上状態で回動することができる。
そして，ガラスユニット３を所定の角度まで回動させると，上記上下規制ガイド部２４によるガラスユニット３の上方への移動の規制が外れる。
【００５７】
こうして，ガラスユニット３を上方に持ち上げると，回動ヒンジ部３１と回動支持部２１との係合が外れ，ガラスユニット３をガラス枠２から取り外すことができる。そのため，本例のガラスユニット取付構造１においては，上記ガラスユニット３をガラス枠２より取り外すことも容易である。
このように，本例のガラスユニット取付構造１においては，上記ガラスユニット３は上記ガラス枠２に対して取付，取外しが容易であり，短時間でガラスユニット３の取付，取外しを行うことができる。
【００５８】
（実施例２）
本例は，図１１〜図１６に示すごとく，上記スペーサ部２３１を，上記回動ヒンジ部３１のユニット側第１対面部３１１又は上記回動支持部２１の枠側第１対面部２１１のいずれかに形成し，上記スペーサ収納部３３２及びスペーサ当接面３３１を他方に形成した例である。具体的には，図１１に示すごとく，本例では，スペーサ部２３１を，枠側第１対面部２１１に形成し，スペーサ収納部３３２及びスペーサ当接面３３１をユニット側第１対面部３１１に形成した。
なお，スペーサ部２３１をユニット側第１対面部３１１に形成し，スペーサ収納部３３２及びスペーサ当接面３３１を枠側第１対面部２１１に形成しても勿論よい。
【００５９】
また，図１１，図１２に示すごとく，本例においては，ガラスユニット３における外縁部３０の下方部３０３に対面するガラス枠２の下方部２０３は，上記取付位置１０１にあるガラスユニット３の前後方向へのずれを防止するための下方係合部２３２を有している。
また，図１１，図１２に示すごとく，本例の上下固定具４は，上記カム部４２よりも後方側２０５に突出すると共に上記回動軸部４１の先端に，上記取付位置１０１にあるガラスユニット３の前後方向へのずれを防止するための上方係合部４３を有している。
【００６０】
また，図１１に示すごとく，本例のガラスユニット３は，このガラスユニット３を操作することができる取手部３６を有している。具体的には，この取手部３６は，上記ユニット側ロック部３２を設けた上記外縁部３０の他側方部３０２に設けてある。
本例においても，上記ガラスユニット３は，上記取付位置１０１（図１１〜図１４参照），上記浮上位置１０２（図１５参照）及び上記回動位置１０３（図１６参照）に移動が可能である。また，本例において，その他は上記実施例１と同様であり，上記実施例１と同様の作用効果を得ることができる。
【００６１】
（実施例３）
本例は，図１７に示すごとく，上記ガラス枠２において，上記一側方部２０１及び上記他側方部２０２にガラス枠２を補強するための第１補強用板金２７１及び第２補強用板金２７２をそれぞれ設け，上記回動支持部２１及び上記枠側ロック部２２を上記第１補強用板金２７１及び第２補強用板金２７２にそれぞれ設けた例である。
また，上記回動支持部２１は，上記一側方部２０１の上下方向に複数形成されており，上記第１補強用板金２７１は，複数の上記回動支持部２１を連結するよう形成されている。また，上記枠側ロック部２２は，上記他側方部２０２の上下方向に複数形成されており，上記第２補強用板金２７２は，複数の上記枠側ロック部２２を連結するよう形成されている。
【００６２】
また，上記第１補強用板金２７１は，上記一側方部２０１に沿って上下方向に設けられており，上記第２補強用板金２７２は，上記他側方部２０２に沿って上下方向に設けられている。
本例においては，図１８に示すごとく，上記ガラスユニット３を上記ガラス枠２に取り付けた際に，上記両側方部２０１，２０２の補強用板金２７１，２７２とガラスユニット３とが強固に係合し，上記ガラスユニット３の取付構造の強度を向上させることができる。また，本例においては，上記各側方部２０１，２０２の各補強用板金２７１，２７２とガラスユニット３との係合により十分な取付強度が得られるため，図１７に示すごとく，上記ガラス枠２の下方部２０３及び上方部２０４に補強用板金を設けることが不要となる。また，本例において，その他は上記実施例１と同様であり，上記実施例１と同様の作用効果を得ることができる。
【図面の簡単な説明】
【図１】実施例１における，ガラスユニットの取付構造を示す図で，ガラス枠の後方側から見た状態で示す後面説明図。
【図２】実施例１における，ガラスユニットの取付構造を示す図で，図１におけるＡ−Ａ矢視断面説明図。
【図３】実施例１における，ガラスユニットの取付構造を示す図で，図１におけるＢ−Ｂ矢視断面説明図。
【図４】実施例１における，ガラスユニットの取付構造を示す図で，図１におけるＣ−Ｃ矢視断面説明図。
【図５】実施例１における，ガラスユニットの取付構造を示す図で，図１におけるＤ−Ｄ矢視断面説明図。
【図６】実施例１における，ガラスユニットを示す後面説明図。
【図７】実施例１における，ガラス枠を後方側から見た状態で示す後面説明図。
【図８】実施例１における，ガラスユニットを浮上位置に移動させた状態を示す後面説明図。
【図９】実施例１における，ガラスユニットを回動位置に移動させた状態を示す図で，図１におけるＣ−Ｃ矢視相当の断面説明図。
【図１０】実施例１における，ガラスユニットを回動位置に移動させた状態を示す図で，図１におけるＤ−Ｄ矢視相当の断面説明図。
【図１１】実施例２における，ガラスユニットの取付構造を示す図で，ガラス枠の後方側から見た状態で示す後面説明図。
【図１２】実施例２における，ガラスユニットの取付構造を示す図で，図１１におけるＡ−Ａ矢視断面説明図。
【図１３】実施例２における，ガラスユニットの取付構造を示す図で，図１１におけるＢ−Ｂ矢視断面説明図。
【図１４】実施例２における，ガラスユニットの取付構造を示す図で，図１１におけるＣ−Ｃ矢視断面説明図。
【図１５】実施例２における，ガラスユニットを浮上位置に移動させた状態を示す後面説明図。
【図１６】実施例２における，ガラスユニットを回動位置に移動させた状態を示す図で，図１１におけるＣ−Ｃ矢視相当の断面説明図。
【図１７】実施例３における，ガラス枠を後方側から見た状態で示す後面説明図。
【図１８】実施例３における，ガラスユニットの取付構造を示す図で，ガラス枠の後方側から見た状態で示す後面説明図。
【符号の説明】
１．．．ガラスユニット取付構造（ガラス扉），
１０１．．．取付位置，
１０２．．．浮上位置，
１０３．．．回動位置，
２．．．ガラス枠，
２０５．．．後方側，
２１．．．回動支持部，
２２．．．枠側ロック部，
２３．．．枠側対面部（荷重受け部），
２３１．．．スペーサ部，
２５．．．開口穴，
３．．．ガラスユニット，
３０．．．外縁部，
３０１．．．一側方部，
３０２．．．他側方部，
３０３．．．下方部，
３０４．．．上方部，
３１．．．回動ヒンジ部，
３２．．．ユニット側ロック部，
３３．．．ユニット側対面部，
３３１．．．スペーサ当接面，
３３２．．．スペーサ収納部，
３５．．．ガラス板，
４．．．上下固定具，
５．．．枠体，
５１．．．遊技盤，
Ｘ．．．回動中心軸，
【図１】
2004222865.tif 000003
【図２】
2004222865.tif 000004
【図３】
2004222865.tif 000005
【図４】
2004222865.tif 000006
【図５】
2004222865.tif 000007
【図６】
2004222865.tif 000008
【図７】
2004222865.tif 000009
【図８】
2004222865.tif 000010
【図９】
2004222865.tif 000011
【図１０】
2004222865.tif 000012
【図１１】
2004222865.tif 000013
【図１２】
2004222865.tif 000014
【図１３】
2004222865.tif 000015
【図１４】
2004222865.tif 000016
【図１５】
2004222865.tif 000017
【図１６】
2004222865.tif 000018
【図１７】
2004222865.tif 000019
【図１８】
2004222865.tif 000020